(57)【要約】【課題】  従来のワゴンは、不使用時には置き場所に相当のスペースが必要であった。【解決手段】  本発明の理美容用作業台は、フレームの内側に空間が形成され、その空間は他の理美容用作業台のフレームを前後又は斜め前後に差込んで、二以上の理美容用作業台を前後又は斜め前後に重ねることができるようにしたものである。又は、フレームの内側に空間が形成され、その空間は他の理美容用作業台の上に重ねて、二以上の理美容用作業台を上下に重ねることができるようにしたものである。前記作業台において、棚とトレイの双方又はいずれか一方をフレームに固定された固定式又は縦向きと横向きに倒伏・起立自在であり且つ横向き時に水平に保持可能な可動式又はトレイを上下スライド可能なスライド式とした。また、棚とトレイの双方又はいずれか一方を昇降可能とした。【選択図】  図１
2006255399.tif 000002
【特許請求の範囲】
【請求項１】
フレームに棚とトレイの双方又はいずれか一方を備え、フレームの下に移動車輪を備えた理美容用作業台において、フレームの内側に空間が形成され、その空間は他の理美容用作業台のフレームを前後又は斜め前後に差込んで、二以上の理美容用作業台を前後又は斜め前後に重ねることができることを特徴とする理美容用作業台。
【請求項２】
フレームに一又は二以上の棚とトレイの双方又はいずれか一方を備え、フレームの下に移動車輪を備えた理美容用作業台において、フレームの内側に空間が形成され、その空間は他の理美容用作業台を上に重ねて、二以上の理美容用作業台を上下に重ねることができることを特徴とする理美容用作業台。
【請求項３】
請求項１又は請求項２記載の理美容用作業台において、棚とトレイの双方又はいずれか一方がフレームに固定された固定式、又は縦向きと横向きに倒伏・起立自在であり且つ横向き時に水平に保持可能な可動式、又はトレイが上下にスライド可能なスライド式であることを特徴とする理美容用作業台。
【請求項４】
請求項１、請求項２、請求項３のいずれかに記載の理美容用作業台において、フレームに一又は二以上の棚とトレイの双方又はいずれか一方が設けられ、夫々の棚、トレイは昇降部を備え、昇降部はフレームに形成された一又は二以上の係止具に係止して所定高さに係止され、二以上の係止具はフレームの上下方向に離して形成され、上係止具はそれより下の棚又はトレイの昇降部は係止することなく昇降可能な位置であり、且つ上の棚又はトレイの昇降部は係止する位置に設けられ、下の棚又はトレイは上の棚又はトレイを押し上げて上係止具の上方まで上昇可能であることを特徴とする理美容用作業台。
【発明の詳細な説明】
【技術分野】
【０００１】
本発明は理容室又は美容室（以下「理美容室」という。）において、鋏、剃刀、櫛、化粧品等の理美容用用具をのせたり、収容したりするための理美容用作業台に関するものである。
【背景技術】
【０００２】
従来、理美容作業に使用する鋏、剃刀、櫛、化粧品等の理美容用用具は、次のように配置されたり収容されたりしている。
（１）理美容室内のミラーの手前のカウンターの上にのせておいたりカウンターの下の引き出しに入れておいたりして、作業中に必要な用具をその都度取出したり、出し入れしたりする方法。
（２）キャスター付きのワゴン（理美容作業台）の棚やトレイの上にのせておき、作業中に作業し易い位置にワゴンを移動させて、必要な用具を出し入れする方法。
【発明の開示】
【発明が解決しようとする課題】
【０００３】
前記した従来の理美容用用具の配置、収容方法には次のような課題がある。
（１）カウンターの上に置くと、カウンターの上が煩雑になりがちである。
（２）引き出し内に収容すると、整頓はし易いが、作業中に必要な用具をその都度取出し、使用後は片付ける必要があるため、作業しにくい。
（３）理美容作業台の棚の上にのせたり、トレイの中に収容したりする方法では、必要な用具を取り出し易いため作業性が良く、整理整頓もし易いが、理美容作業台が多くなると不使用時の置き場所にスペースをとる。
【課題を解決するための手段】
【０００４】
本発明の理美容用作業台は、作業中に所望位置に移動させることができて作業し易く、不使用時には前後又は上下に重ねることができ、設置に広いスペースを取らないようにしたものである。
【０００５】
本発明の理美容用作業台は、請求項１記載のように、フレームに棚とトレイの双方又はいずれか一方を備え、フレームの下に移動車輪を備えた理美容用作業台において、フレームの内側に空間が形成され、その空間は他の理美容用作業台のフレームを前後又は斜め前後に差込んで、二以上の理美容用作業台を前後又は斜め前後に重ねることができるようにしたものである。
【０００６】
本発明の理美容用作業台は、請求項２記載のように、フレームに一又は二以上の棚とトレイの双方又はいずれか一方を備え、フレームの下に移動車輪を備えた理美容用作業台において、フレームの内側に空間が形成され、その空間は他の理美容用作業台を上に重ねて、二以上の理美容用作業台を上下に重ねることができるようにしたものである。
【０００７】
本発明の理美容用作業台は、請求項３記載のように、請求項１又は請求項２記載の理美容用作業台において、棚とトレイの双方又はいずれか一方がフレームに固定された固定式、又は縦向きと横向きに倒伏・起立自在であり且つ横向き時に水平に保持可能な可動式、又はトレイが上下にスライド可能なスライド式としたものである。
【０００８】
本発明の理美容用作業台は、請求項４記載のように、請求項１、請求項２、請求項３のいずれかに記載の理美容用作業台において、フレームに一又は二以上の棚とトレイの双方又はいずれか一方が設けられ、夫々の棚、トレイは昇降部を備え、昇降部はフレームに形成された一又は二以上の係止具に係止して所定高さに係止され、二以上の係止具はフレームの上下方向に離して形成され、上係止具はそれより下の棚又はトレイの昇降部は係止することなく昇降可能な位置であり、且つ上の棚又はトレイの昇降部は係止する位置に設けられ、下の棚又はトレイは上の棚又はトレイを押し上げて上係止具の上方まで上昇可能としたものである。
【発明の効果】
【０００９】
本件発明の請求項１記載の理美容用作業台は、二以上の理美容用作業台を前後又は斜め前後に重ねることができるようにしたため次のような効果がある。
（１）複数台の理美容用作業台を保管しても広いスペースを取らない。
（２）理美容用作業台が移動可能であるため作業者の作業し易い箇所に移動できる。
【００１０】
本件発明の請求項２記載の理美容用作業台は、二以上の理美容用作業台を上下に重ねることができるようにしたため次のような効果がある。
（１）複数台の理美容用作業台を前後に重ねる場合よりも保管スペースが狭くなる。
（２）理美容用作業台が移動可能であるため作業者の作業し易い箇所に移動できる。
【００１１】
本件発明の請求項３記載の理美容用作業台は、棚がフレームに固定された固定式、又はフレームに縦向きと横向きに倒伏・起立自在な可動式、又はトレイがフレームに沿ってスライド可能なスライド式であるため、上記の各種効果に加えて次のような効果がある。
（１）棚とトレイを固定式とした場合は棚が安定し、その上にのせた理美容用用具も安定し、理美容用用具を使い易くなる。
（２）棚とトレイを可動式とした場合は、不使用時に横に倒して、数台の理美容用作業台を前後に重ねるときに邪魔にならないようにすることができ、二以上の棚を前後にコンパクトに整理できる。
（３）トレイがスライド式の場合は、トレイをフレームの上方にスライドさせて重ねることができるため、二以上の作業台を重ねるときに重ね易くなり、二以上を重ねてもトレイを上方にスライドさせた分だけ高くならず、不安定になりにくい。
【００１２】
本件発明の請求項４記載の理美容用作業台は前記効果に加えて次のような効果がある。
（１）フレームに一又は二以上の棚とトレイの双方又はいずれか一方が設けられているため、それら棚やトレイに多くの理美容用用具をのせたり収容したりすることができ、便利である。
（２）トレイがフレームの上下方向に昇降自在であるため、トレイを上昇させて棚の下に纏めて理美容作業台を上下に積み重ねることができ、上に重ねる理美容作業台の持ち上げ高さがトレイを上昇させない場合よりも低くて済み、上下に積み重ね易くなる。また、重ねてもトレイが上昇した分だけ重ね後の高さが低くなり、作業台を多数重ねても安定する。
（３）下のトレイが上の係止具があってもそれに係止することなく昇降可能であるため、二以上のトレイを上下に自由に昇降させることができる。
（４）上昇する下のトレイで上のトレイを押し上げることができるため、トレイの上昇操作が容易になる。
（５）フレームに昇降可能に設けられた二以上のトレイが、上下に離してフレームに設けた高さの異なる係止具に係止するため、二以上のトレイ間に手を出し入れするのに十分な空間を確保することができ、上下のトレイの使い勝手が良くなる。
【発明を実施するための最良の形態】
【００１３】
（実施形態１）
本発明の理美容用作業台の実施形態の一例を図１〜図６を用いて詳細に説明する。図１に示す理美容用作業台１（以下「作業台１」と記す。）はフレーム２の上部に、鋏、剃刀、櫛、化粧品等の理美容用用具を収容したトレイ、篭等をのせることのできる棚４が設けられ、棚４の下に支持レール６が設けられ、支持レール６にトレイ７が前後にスライドして取り外し可能にセットされている。フレーム２の下部には枠状の受け具８が設けられ、その受け具８にトレイ７を取り外し可能にセットしてある。
【００１４】
図１のフレーム２は丸パイプ、丸棒等の長尺材を組合せて形成されており、一本の長尺材を曲げて左右の縦杆１１を形成し、その下部を前脚１２、上部をハンドル１３とし、左右の前脚１２間に連結杆１４を横向きに架設し、連結杆１４に二本の後脚１５を取付けてある。前脚１２と後脚１５には回転車輪（例えば、キャスター）３を取り付けてフレーム２を移動式としてある。左右の前脚１２も、後脚１５も互いに平行に形成され、左右の前脚１２の間隔を左右の後脚１５の間隔よりも広くして、図６のように両前脚１２間に他の作業台１の両後脚１５を押し込むことができるようにしてある。
【００１５】
前記棚４は図３に示すようにフレーム２の縦杆１１の上部に設けられた支持材９の上に天板５を取付けたものであり、天板５は長方形の板材の上に樹脂材５ａを被覆したものとか、樹脂成型品である。棚４の上面４ａには理美容用用具を直接置くこともそれらを入れるトレイや篭等をおくこともできる。棚４は図１に示す横向きから図３に示す前傾斜まで回動して倒伏・起立自在としてある。そのため棚４の裏面４ｂにコ字状のストッパー１６の両先端部１７を回動自在に取付け、図１に示すように縦杆１１の係止片１８にストッパー１６を形成し、ストッパー１６の横向き支持部１９を係止片１８に係止すると棚４が横向き（水平）に保持され、図３のようにストッパー１６の底辺部１９を係止片１８から外すと棚４が斜め前下がりになるようにしてある。
【００１６】
棚４の裏面４ｂには図１〜図４に示すように支持レール６が取付けられている。この支持レール６は図４に示すように二本のコ字型の細長材２０がその開口部２１が対向して平行に取り付けられ、二本の細長材２０の間に図４、図５のようにトレイ７の上縁２４を差し込んで前後にスライド可能としてある。図１〜図３に示すように二本の細長材２０の後端部間は一枚の連結板２２で連結されて両細長材２０を補強すると共に差込んだトレイ７が後方に突き抜けないようにしてある。図４のように、二本の細長材２０のうち前端部付近上面には抜止片２３が取付けられている。
【００１７】
トレイ７は上方開口の長方形の浅い容器であって内部に理美容用用具を収容可能である。図４のように、トレイ７の周縁上面奥側に係止ピン２５が上方に突出させて取付けて、トレイ７を支持レール６から前方に引出したときにその係止ピン２５が図４のように細長材２０の上面手前側に取り付けられている抜止片２３に係止して前方に抜け落ちないようにしてある。トレイ７を支持レール６へ差込んだり、それから取り外したりする場合は、トレイ７の前端側を持ち上げて後端側を下げ、係止ピン２５の頭部をも下げて、係止ピン２５が抜止片２３に係止しないようにして行なう。
【００１８】
図１〜図３に示す受け具８は図２に明記したようにフレーム２の連結杆１４の上に固定されており、上縁支持部８ａでトレイ７の上縁２４を支持し、二本の底面支持部８ｃでトレイ７の底面を支持し、コーナー支持部８ｄでトレイ７のコーナーを支持してトレイ７を水平に保持できるようにしてある。また、受け具８は上縁支持部８ａの両端を内側に折り曲げた側方位置決め部８ｂでトレイ７の左右方向を位置決めし、上方に立ち上がる前後位置決め部８ｅでトレイ７の前後方向を位置決めして、受け具８の上にのせたトレイ７が前後左右にずれないようにしてある。
【００１９】
図１〜図３に示す左右の前脚１２間には差込み空間１０が形成され、そこに、図６のように、他の同型の作業台１の後脚１５側を差込み可能としてある。この場合、図３のようにストッパー１６による棚４の保持を解除して棚４を前傾させた状態で、図６のように後方の作業台１の後脚１５側を前方の作業台１の前脚１２の間から差込み空間１０内に挿入して、複数台の同じ形状の作業台１を同じ向きに揃えて前後に重ねることができる。
【００２０】
実施形態１（図１〜図６）の作業台１を使用するには次のようにする。
（１）図１のように棚４を横向き（水平）にし、ストッパー１６の底辺部１９を左右の係止片１８に係止させて棚４を水平にする。
（２）支持レール６の細長材２０にトレイ７の上縁２４を挿入して支持レール６にトレイ７をセットする。また、受け具８にトレイ７をのせる。
（３）棚４の上に所望の理美容用用具をのせたり、それら器具を収容したトレイ７をのせたりし、トレイ７に理美容用用具を入れて使用する。
【００２１】
不使用時の作業台１を前後に重ねるには次のようにする。
（１）支持レール６にセットされているトレイ７を引き出し、引き出したトレイ７の前端部を上方に持ち上げて、係止ピン２５の頭部を低くし、係止ピン２５を抜止片２３に引っ掛からないように回避させてトレイ７を支持レール６から抜き取る。また、受け具８の上のトレイ７も取り外す（図２参照）。
（２）ストッパー１６を回動させて、ストッパー１６の底辺部１９を左右の係止片１８から夫々外し、ストッパー１６による棚４の水平保持を解除して、棚４を前斜させる（図３参照）。
（３）棚４を前斜させた数台の同じ形状、構造の作業台１を図６のように前後に重ねる。この場合、後方の作業台１のフレーム２の後脚１５側を前方の作業台１の前脚１２の間から差込んで空間１０内に差込む。
【００２２】
（実施形態２）
本発明の作業台の他の実施形態を図７〜図１１を参照して説明する。この作業台１の基本的構成は実施形態１記載の作業台１と共通しており、図７に示すように前脚１２、後脚１５にキャスター３を取り付けて移動式とし、フレーム２の縦杆１１の上端部に棚４を設け、棚４の下に支持レール６を設け、支持レール６にトレイ７をスライド可能にセットし、フレーム２の下部に受け具８を設け、受け具８の上にトレイ７をセットしてある。
【００２３】
縦杆１１の上端部には図１０に示すように円板３０が取付けられ、円板３０の中心部に螺子孔３１が開口され、その周囲に所定の間隔で位置決め突起３２が複数個形成されている。
【００２４】
棚４はフレーム２の上部に取り付けた支持材９に天板５を取付けてある。図９、図１０に示すように支持材９の側面には円板３３が取付けられ、円板３３の中心部には螺子孔３４が開口され、その周囲に複数個の位置決め孔３５が所定間隔で開口されている。その円板３３を図９、図１０に示すようにフレーム２の円板３０と重ね合わせ、螺子孔３１、３４に螺子３６をねじ込むことにより、縦杆１１の上端部に棚４を取り付けてある。棚４は螺子３６を緩めると螺子３６を回転軸として図８の水平状態から図９の横向き状態まで回動自在としてあり、図１０の位置決め孔３５に差し込む位置決め突起３２を変えることにより、棚４を図１の水平状態か図９の横倒しの状態かに切替えて保持できるようにしてある。螺子３６を締め付けることによって棚４は所定位置に固定される。
【００２５】
図１０では、フレーム２側の円板３０に位置決め突起３２が個形成され、棚４の円板３３に位置決め孔３５が開口されているが、フレーム２側の円板３０に位置決め孔３５を開口し、棚４側の円板３３に位置決め突起３２を形成することももちろん可能である。また、位置決め突起３２の数も一つ以上の任意数とすることもできる。
【００２６】
図７〜図９に示すように、棚４の下には支持レール６が取付けられており、それにトレイ７を着脱可能としてある。受け具８にもトレイ７をセット可能である。支持レール６、受け具８は図１〜図６のものと同じである。前脚１２間に差込み空間１０が形成され、複数台の同じ形の作業台１を向きを揃えてその差込み空間１０に差し込んで前後に重ねることができるようにしてある。
【００２７】
実施形態２（図７〜図１１）の作業台１を使用するには次のようにする。
（１）棚４を図７のように水平にし、支持レール６の細長材２０内にトレイ７の上縁２４を挿入して、支持レール６にトレイ７をスライド可能にセットし、受け台８にトレイ７をセットする。
（２）棚４の上に所望の理美容用用具をのせたり、それら理美容用用具を入れたりトレイ７をのせたりして使用する。
【００２８】
実施形態２の作業台１を前後に重ねるには次のようにする。
（１）支持レール６にセットされているトレイ７を引き出し、トレイ７の端部を上方に持ち上げて、係止ピン２５の頭部を低くし、係止ピン２５を抜止片２３に引っ掛からないように回避させてトレイ７を支持レール６から引き抜き、受け台８の上のトレイ７も取り外す。（図８参照。）
（２）棚４の両側の螺子３６を緩めて、水平状態の棚４を螺子３６を回転軸として回転させて図９のように縦向きに倒した状態とし、その位置で位置決め突起３２を位置決め孔３５に嵌入させ、螺子３６を締付けて棚４を縦向きに固定する。
（３）棚４を縦向きに倒した数台の同じ形の作業台１を前後に重ねるには、後方の作業台１の後脚１５側を前方の作業台１の前脚１２の間から差込み空間１０内に挿し入れて前後に重ねる。
【００２９】
実施形態２の作業台１は後脚１５間の幅、前脚１２間の幅、差込み空間１０の広さが実施形態１のものと共通するため、図１１に示すように実施形態１の作業台１と実施形態２の作業台１を前後に重ねることもできる。
【００３０】
（実施形態３）
本発明の作業台の第３の実施形態を図１２〜図１５を参照して説明する。図１２の作業台１はフレーム２の脚の構造が前記実施形態１、２のものと異なる。図１２に示すものはフレーム２が角パイプ、角棒等で形成されている。フレーム２の左右の縦杆１１は左右の脚４０の一端寄りの位置に垂直に取り付けられており、２本の縦杆１１間に連結杆１４を横向きに架設して補強してある。図１２に示すように左右の脚４０が垂直に平行に配置されている場合は作業台が安定し、フレーム２の上方の棚に各種理美容用用具を入れたトレイや篭等の入れ物をのせても安定する。縦杆１１は上方を前傾または後斜させることもできる。脚４０の両端部４１の下にキャスター３が取り付けられて移動式としてある。左右の脚４０間及び連結杆１４の下方には差込み空間１０が形成されている。差込み空間１０には図１３に示すように他の同型の作業台１の左右の二本の脚４０のうち一本を差込み、他の一本を外にはみ出させて、向きを揃えて斜前後に重ねることができる。この場合、左右の脚４０の後端間又は前端間の間隔を前端間又は後端間の間隔よりも広くすれば、前方の作業台の左右の脚４０の後方間又は前方間に後方の作業台の左右の脚４０の前方部又は後方部を差し込んで２台以上の作業台１を前後に重ねることができる。
【００３１】
フレーム２の下部構造は図１４に示す構造とすることもできる。このフレーム２は丸パイプ、丸棒等の丸材で形成されており、左右の直状の縦杆１１の下端が横連結杆１４の上に取り付けられ、横連結杆１４の下方に湾曲している下部４２の下端が左右の脚４０の一端寄りの位置に取り付けられている。図１４の左右の縦杆１１は垂直に配置されているため作業台１が安定し、フレーム２の上方の棚に理美容用用具を入れたトレイ、篭等をのせても安定する。縦杆１１はその上方を前方又は後方に傾斜させることもできる。左右二本の脚４０は前後両端が下向きに湾曲しており、その下端にキャスター３が取り付けられて移動自在としてある。図１４のフレーム２の左右二本の脚４０間及び連結杆１４の下方にも差込み空間１０が形成され、差込み空間１０には図１３に示すように他の同型の作業台１の二本の脚４０のうち一本を差込み、他の一本を外にはみ出させて向きを揃えて斜前後に重ねることができる。この場合、左右の脚４０の後端間又は前端間の間隔を前端間又は後端間の間隔よりも広くすれば、前方の作業台の左右の脚４０の後方間に、後方の作業台の左右の脚４０の前方部を差し込み２台以上の作業台１を前後に重ねることができる。
【００３２】
フレーム２の下部構造は図１５に示す構造とすることもできる。図１５に示すフレーム２は、２本の縦杆１１を平行に垂直に横連結杆１４の上に取り付けること、横連結杆１４の下端が下向きに曲げられていること、左右２本の脚４０間に両差込み空間１０が形成されていること等において図１４に示すフレーム２と共通するが、脚４０が角材であることにおいて異なる。この場合も、左右の脚４０の後端間又は前端間の間隔を前端間又は後端間の間隔よりも広くすれば、前方の作業台の左右の脚４０の後方間に、後方の作業台の左右の脚４０の前方部を差し込み２台以上の作業台１を前後に重ねることができる。
【００３３】
（実施形態４）
本発明の理美容用作業台の第４の実施形態を図１６、図１７を参照して説明する。これら作業台１も図１６に示すように脚４５にキャスター３を備えて移動式としてあり、フレーム２の上部に棚４が設けられていることは実施形態１〜３の作業台１と共通する。この実施形態４の作業台１は図１６に示すようにフレーム２の上部に棚４が固定され、棚４の下の支持レール６にトレイ７をスライド可能にセットできるようにしてある。支持レール６は上下に二本以上設けて、それらにトレイ７をセットできるようにすることもできる。
【００３４】
図１６のフレーム２は丸パイプを曲げて左右二本の縦杆１１とハンドル１３を形成し、角パイプでコ字状の脚４５を形成し、縦杆１１の下端を脚４５の内側面に取付けて、二本の縦杆１１の間隔を左右の脚４５の間隔より狭くしてある。左右二本の縦杆１１は平行であるが後方傾斜にしてある。また、二本の縦杆１１の上部を連結する連結杆１４から前方に二本の支持材９が突設され、その支持材９の上に天板５を取付けて棚４としてある。棚４は倒伏・起立しないように連結杆１４に固定されている。
【００３５】
図１６に示すフレーム２の縦杆１１の下部外側であって脚４５の上方には、他の同形、同構造の作業台１の左右の脚４５の下部を配置可能な脚下部重ね空間５０ａが形成され、縦杆１１の上部と棚４の間に脚上部重ね空間５０ｃが形成され、棚４の上方には他の同型の作業台１の棚４の裏面４ｂを重ねることができる上方重ね空間５０ｂが形成されて、図１７に示すように二以上の作業台１を上下に積み重ね可能としてある。この場合、脚下部重ね空間５０ａの上に上の作業台１の左右の脚４５の下部を配置し、脚上部重ね空間５０ｃに上の作業台１の脚４５の上部を配置し、上方重ね空間５０ｂの上に上の作業台１の棚４をのせて上下に積み重ねることができる。積み重ねに際しては、上の作業台１を下の作業台１の前方上方に持ち上げて積み重ねることができるため、上の作業台１を下の作業台１の真上に持ち上げて重ねる場合よりも楽に積み重ねることができる。図１７ではフレーム２の縦杆１１が多少後方傾斜になっていて、数台の作業台１を上下に積み重ねても前方や後方に移行することがなく積み重ねた作業台は安定する。縦杆１１は必ずしも後方傾斜でなくてもよく、作業台１を上下に重ねても前方或いは後方に倒れないようにすればよい。
【００３６】
（実施形態５）
本発明の作業台の第５の実施形態を、図１８を参照して説明する。図１８の作業台１もフレーム２の上端部に棚４が設けられ、棚４の下に設けられた支持レール６にトレイ７をスライド可能にセットできるようにしてある。棚４は図９、図１０の棚４と同様に縦向きから横向きまで倒伏或は起立させることができ、縦向き或は横向き位置に保持することができるようにしてある。
【００３７】
フレーム２はＵ字型の縦杆１１の下端に支柱４８の上端が取付けられ、支柱４８の下端が横連結杆１４の長手方向中央部に取り付けられ、横連結杆１４は左右二本の脚４０の軸方向中央部上面に取付け材４９を介在させて取り付けられている。脚４０の両端部４１の下面には、キャスター３が設けられている。
【００３８】
フレーム２のＵ字型の縦杆１１の高さ方向中央部に受け具（回転軸）８が設けられており、この受け具８に天板５が回転可能に連結され、棚４と天板５の前後方向中間部とがクランク４７で連結されて、棚４と天板５のいずれか一方を倒伏或は起立させると、他方がその動きに追随して倒伏或は起立するようにしてある。
【００３９】
前記フレーム２の二本の脚４０間及び横連結杆１４の下方に差込み空間１０を形成し、その差込み空間１０に図１３に示すように他の同型の作業台１の二本の脚４０のうち一本を差込んで、複数台の同形、同構造の作業台１を、向きを揃えて斜前後に互いに重ねることができるようにしてある。この場合も、左右の脚４０の後端間又は前端間の間隔を前端間又は後端間の間隔よりも広くすれば、前方の作業台の左右の脚４０の後方間に、後方の作業台の左右の脚４０の前方部を差し込み２台以上の作業台１を前後に重ねることができる。
【００４０】
（実施形態６）
本発明の理美容用作業台の第６の実施形態を、図１９に基づいて説明する。この作業台１はフレーム２の上端部に取付けられた支持材９に天板５を着脱自在に載置可能としてあり、支持材９に天板５を固定すると棚４となるようにしてある。支持材９は天板５より幅を狭くして天板５の下に隠れるようにしてある。棚４は支持材９をフレーム２に固定すると回動しない固定式となり、支持材９をフレーム２に回動可能に取り付けると倒伏或は起立可能な回動式となる。支持材９への天板５の取り付けはボルト及びナット、ビス等による締付け、天板５の裏面を支持材９に脱着自在とした嵌め込み式といった任意の方式で行うことができる。支持材９の上には天板５に限らずトレイや篭等の所望の物を載せることができる。
【００４１】
（実施形態７）
本発明の第７の理美容用作業台の実施形態を、図２０に基づいて説明する。この作業台１の縦杆１１は左右二本の脚４０上に後方傾斜に設置固定されている。左右の縦杆１１の下部は横連結杆１４で連結されており、縦杆１１の上部内面には角棒状の受け具５１の後端が取り付けられ、その上にトレイ、天板、篭等の任意のものをのせたり固定したりすることができるようにしてある。受け具５１の上にトレイや天板を固定した場合は、受け具５１とトレイ或は天板により棚４が形成される。
【００４２】
フレーム２の左右の縦杆１１のうち受け具５１の下には、二本のコ字型の細長材２０を対向させて平行に取り付けて支持レール６としてあり、その支持レール６内にその前端開口部２１からトレイ７を差込み抜き取り自在としてある。細長材２０の後端は板材２０ａで閉塞して細長材２０に差込んだトレイ７が後方に抜け落ちないようにしてある。
【００４３】
左右の脚４０間及び連結杆１４の下方には差込み空間１０が形成されている。差込み空間１０には他の同型の作業台１の左右の二本の脚４０のうち一本を差込み、他の一本を外にはみ出させて、向きを揃えて斜前後に重ねることができる（図１３参照。）。この場合、左右の脚４０の後端間又は前端間の間隔を前端間又は後端間の間隔よりも広くすれば、前方の作業台の左右の脚４０の後方間又は前方間に後方の作業台の左右の脚４０の前方部又は後方部を差し込んで２台以上の作業台１を前後に重ねることができる。
【００４４】
（実施形態８）
本発明の作業台の実施形態を、図２１を参考にして説明する。この作業台１はフレーム２の左右の縦杆１１を上下二本の横連結杆１４で連結してある。縦杆１１の上部に受け具５１を二本一組として取り付け、その上にトレイ、天板、篭等の任意のものをのせたり固定したりすることができるようにしてある。受け具５１の上にトレイや天板を固定した場合は、受け具５１とトレイ或は天板により棚４が形成される。
【００４５】
フレーム２の左右の縦杆１１のうち受け具５１の下には、二本のコ字型の細長材２０を対向させて平行に取り付けて支持レール６としてあり、その支持レール６内にその前端開口部２１からトレイ７を差込み抜き取り自在としてある。細長材２０の後端は板材２０ａで閉塞して細長材２０に差込んだトレイ７が後方に抜け落ちないようにしてある。
【００４６】
左右の脚４０間及び連結杆１４の下方には差込み空間１０が形成されている。差込み空間１０には他の同型の作業台１の左右の二本の脚４０のうち一本を差込み、他の一本を外にはみ出させて、向きを揃えて斜前後に重ねることができる（図１３参照。）。この場合、左右の脚４０の後端間又は前端間の間隔を前端間又は後端間の間隔よりも広くすれば、前方の作業台の左右の脚４０の後方間又は前方間に後方の作業台の左右の脚４０の前方部又は後方部を差し込んで二台以上の作業台１を前後に重ねることができる。
【００４７】
（実施形態９）
本発明の作業台の実施形態を、図２２〜図２４に基づいて説明する。この作業台１の基本的構成は図１６、図１７の作業台と共通する。異なるのは棚４の下に設けた２段のトレイ７をフレーム２に沿って昇降（スライド）可能として、二台以上の作業台１を上下に重ねるときに、上に重ねる作業台１の上段及び下段のトレイ７を上昇させて棚４の下に寄せ集めて、寄せ集めた下段のトレイ７が下の作業台１の棚４に当たらない位置まで持ち上げるだけで、下の作業台１の上に重ねることができ、しかも、数台の作業台１を重ねても高さがあまり高くならないようにしたことである。ちなみに、トレイ７が上昇しないと作業台１を重ねるときに、上に重ねる作業台１の最下段のトレイ７を下の作業台１の棚４の上まで持ち上げて重ねなければならず、持ち上げが大変であり、しかも重ねた台数分だけ上に高くなり、上の作業台の重心が前方に移行して不安定になるが、図２２の作業台ではそのようなことが一切ないようにしてある。
【００４８】
図２２の作業台１のフレーム２は角パイプ、角棒等の角材をほぼコ字型に曲げて左右の縦杆１１とハンドル１３を形成し、その下端を外側に曲げ、その先端を、角パイプをコ字型に曲げて形成した脚４５の内側面に取り付けてある。左右の縦杆１１は平行で後方傾斜にして脚４５に取り付けて、作業者Ｍがハンドル１３と反対側に立って使用するのに便利なようにしてある。脚４５の下面にはキャスター３が取り付けられている。
【００４９】
図２２に示すようにフレーム２の縦杆１１の外側で脚４５の内側には、図２３のように他の同形、同構造の作業台１の脚４５の下部を配置可能な脚下部重ね空間５０ａが形成され、縦杆１１の上部と棚４の間に脚上部重ね空間５０ｃが形成され、脚上部重ね空間５０ｃに上の作業台１の脚４５の上部を配置し、棚４の上方には、図２３のように他の作業台１のトレイ７を重ねることのできる上方重ね空間５０ｂが形成されている。脚下部重ね空間５０ａを形成することにより、図２３のように他の作業台を重ねても上の作業台の脚４５が側方に突出せず、上方重ね空間５０ｂを形成することにより、図２３のように他の作業台１を重ねたときに上の作業台１の上段、下段のトレイが上方重ね空間５０ｂ内に収容されて、その分だけ上の作業台１が高くならないようにしてある。
【００５０】
図２２のフレーム２の上部に固定した棚４の下の支持レール６には、トレイ７を前後にスライド可能にセットしてある。上段及び下段のトレイ７はフレーム２の左右の縦杆１１に沿って上下スライド可能に設けた上段の受け具６０及び下段の受け具８に夫々セットしてある。
【００５１】
図２２に示す上段の受け具６０、下段の受け具８はトレイ７の上縁２４を支持してトレイ７を水平に保持することのできる方形枠状であり、その横方向両側に設けられたスライダー（昇降部材）６１、６２が左右の縦杆１１に昇降可能にセットされ、図２２に示すように縦杆１１に突設された突起状の上段係止具６４及び下段係止具６５に降下時に係止して所定位置に支持されるようにしてある。
【００５２】
上段、下段のスライダー６１、６２は図２４（ａ）〜（ｃ）に示すように外側開口のコ字状に形成されており、縦杆１１の内側から縦杆１１に被せて上下に昇降スライドできるようにしてある。下段スライダー６２は降下時に下段係止具６５に係止され、上段スライダー６１は降下時に上段係止具６４に係止するようにしてある。上段スライダー６１の前板６１ａ及び下段スライダー６２の前板６２ａは裾広がりに形成して、降下時に図２４（ｃ）に示すように上段係止具６４及び下段係止具６５に被さって係止してその位置に停止するようにすることができる。この場合、上段スライダー６１の後板６１ｂと内板６１ｃ、下段スライダー６２の後板６２ｂと内板６２ｃは裾広がりにせずに垂直面にしてある。
【００５３】
上段スライダー６１の対向する前板６１ａと後板６１ｂは同じ横幅であり、しかも縦杆１１の幅とほぼ同じ幅にすることにより縦杆１１に沿って安定して昇降スライドできるようにしてある。また、降下時に図２４（ｃ）のように前板６１ａが縦杆１１に突設された上段係止具６４の外側に被さって上段係止具６４の先端に係止し、その位置に停止するようにしてある。
【００５４】
下段のスライダー６２の対向する前板６２ａは後板６２ｂよりも幅が狭く形成され、しかも、後板６２ｂは縦杆１１の幅とほぼ同じ幅にすることにより縦杆１１に沿って安定して昇降スライドできるようにし、前板６２ａは縦杆１１の幅よりも狭くすることにより、図２４（ｂ）のように、上段係止具６４に係止せずにその側方を通過して下方まで降下し、上段係止具６４よりも下方で内側に突設されている下段係止具６５の外側に被さって係止し、その位置に停止するようにしてある。
【００５５】
図２４（ｃ）のように係止している上段、下段のスライダー６１、６２は上下にスライドさせることができ、下段のスライダー６２を上昇させるとそれが上段のスライダー６１を押し上げて、両スライダー６１、６２が上下に重なって上方へスライドできるようにしてある。
【００５６】
上段係止具６４及び下段係止具６５は図２４（ａ）〜（ｃ）に示す位置以外の任意の位置に形成することができる。従って、例えば、上段係止具６４を縦杆１１の前面側に形成し、下段係止具６５を背面側に形成することもできる。その場合、上段スライダー６１及び下段スライダー６２は、上段係止具６４及び下段係止具６５の形成位置に合わせた形状のものを用いる。
【００５７】
スライダー６１（６２）は図２６（ａ）（ｂ）のように、前板６１ａ（６２ａ）の先端部を内側に曲げて、その先端面が縦杆１１の側面に接触するようにすることができる。このようにすると、縦杆１１へのスライダー６１（６２）の接触が確実になり、昇降時のガタツキがほとんど発生しない。この場合も、上段スライダー６１の前板６１ａを、下段スライダー６２の前板６２ａより幅広にし、上段係止具６４を縦杆１１の外寄りに、下段係止具６５を縦杆１１の内寄りに夫々形成して、上段スライダー６１及び下段スライダー６２の降下時に下段スライダー６２は下段係止具６５に、上段スライダー６１は上段係止具６４に夫々係止するようにしてある。
【００５８】
上段、下段のスライダー６１、６２は、前記した裾広がりの形状のものには限られず、前板６１ａ及び前板６２ａを垂直面にした外側開口のコ字型の角筒形に形成し、縦杆１１の内側から縦杆１１に被せて上下に昇降スライドできるようにすることもできる。この場合、降下時には、上段スライダー６１の前板６１ａの下端部は上段係止具６４に、下段スライダー６２の前板６２ａの下端部は下段係止具６５に夫々係止されるようにしてあり、上段の受け具６０及び下段の受け具８を夫々その位置で係止できるようにしてある。また、この上段スライダー６１及び下段スライダー６２においては、上段スライダー６１の後板６１ｂと内板６１ｃ、下段スライダー６２の後板６２ｂと内板６２ｃも垂直面にして、全面が縦杆１１に接触して昇降時にがたつかない様にしてある。
【００５９】
トレイ７はスライダー６１（６２）を一体成形したものを用いることもできる。その場合、受け具６０（８）が不要となる。
【００６０】
（作業台の積み重ね使用例）
図２２の作業台１を積み重ねるには次のようにする。
（１）図２４（ａ）に示すように、上に重ねる作業台１の下段の受け具８を上方へスライドさせ、その受け具８によって上段の受け具６０を押し上げて、下段の受け具８及び上段の受け具６０を重ねて上方にスライドさせる。
（２）前記スライド状態で作業台１を持ち上げて、図２３のように下の作業台１の上に重ねる。このとき、上の作業台１は重ねた下段の受け具８及び上段の受け具６０を下の作業台の棚４の上まで持ち上げて下の作業台の前方（図２３の矢印Ａ方向）から重ねることができる。このため、上に重ねる作業台１を下の作業台１の真上まで持ち上げて重ねる必要がなく、重ね作業が容易になる。
（３）図２３に示すように、重ねた上の作業台１は、脚４５の下部が下の作業台の脚下部重ね空間５０ａに配置され、脚４５の上部が下の作業台の脚上部重ね空間５０ｃに配置され、上の作業台１の上下のトレイが上方重ね空間５０ｂの上に重なる。
【００６１】
（実施形態１０）
本発明の理美容用作業台の実施形態１０を図２５を参照して説明する。この作業台１の基本的構成は図１６、図１７、図２２〜図２４の作業台１と共通し、脚４５にキャスター３を備えた移動式であり、フレーム２の上部に棚４が設けられ、その下に支持レール６が固定され、それにトレイ７がセットされ、トレイ７の下に受け具８がフレーム２に沿って上下スライド可能に設けられ、受け具８にトレイ７がセットされ、フレーム２の縦杆１１の上端を下方に折り返してハンドル１３が形成されている。受け具８は固定式とすることもできる。
【００６２】
左右の縦杆１１は平行であり、上端側が後方へ傾斜して脚４５に取り付けられている。この場合、左右の縦杆１１の間隔は脚４５の間隔より狭くし、縦杆１１の下端を外側に曲げて脚４５の内面に取り付けて、左右の脚下部重ね空間５０ａを形成してある。また、縦杆１１の上部内面と、棚４、トレイ７の外側面との間には、空間を設けて、その空間を上に重ねる作業台１の縦杆１１をセット（収容）できる脚上部重ね空間５０ｃとしてある。
【００６３】
図２５の作業台１も他の作業台１の上に積み重ねることができる。このとき下の作業台１の棚４の上に下の作業台１のトレイ７を重ね、下の作業台１のハンドル１３の上に下の作業台１のハンドル１３を重ねることができ、このように重ねることにより、上の作業台１が前後にずれにくくなり、安定する。なお、本発明における脚下部重ね空間５０ａは、縦杆１１の下部を外側に曲げずにストレートのままにしておき、その縦杆１１下部を別途用意した連結杆により、脚４５の内面に連結することにより、脚４５の内面と縦杆１１の外面との間に形成することもできる。
【００６４】
（実施形態１１）
本発明の理美容用作業台のフレーム２の形状、縦杆１１の本数や形状等は図示したものに限られず他の構造や形状とすることができる。縦杆１１は一本以上の任意本数とすることができ、例えば、左右の前脚二本と左右の後脚二本の計四本とし、それらを平行に配置し、上部を後方傾斜或は前方傾斜にすることもできる。受け具８の数、形状、位置等も使い勝手の良いように設けることができる。受け具８を二以上設けた場合は、下の受け具８をスライド式にし、上の受け具８を固定式にすることもでき、全てを固定式にすることもできる。
【００６５】
（実施形態１２）
図２２の作業台は作業者Ｍが棚４やトレイ７の前（ハンドル１３と反対側）に立って使用するのに適するものであるが、本発明の作業台は作業者がどちら側に立って作業することもできる構造、形状とすることもできる。
【００６６】
（実施形態１３）
前記した各種実施形態は左右の縦杆１１の間隔を左右の脚４５の間隔より狭くして、縦杆１１を脚４５の内側から脚４５の内面に取り付けてあるが、本発明の作業台はそれとは反対に左右の縦杆１１の間隔を左右の脚４５の間隔より広くして、左右の縦杆１１を左右の脚４５の外側から脚の外面に取り付けることもできる。この場合は縦杆１１とその内側の脚４５との間に他の同型の作業台１の左右の脚４５を配置可能な脚下部重ね空間５０ａが形成される。
【００６７】
（その他の実施形態）
前記した各種実施形態の理美容用作業台はあくまでも一例であって、本発明の作業台はこれに限られるものではなく、数台の作業台を前後に又は斜前後に又は上下に重ねることができれば、フレーム、脚、ハンドル、棚、受け台、トレイ等の形状、構造、数、サイズ等は任意とすることができる。
【００６８】
前記作業台では、フレームを形成する縦杆、脚、連結杆に丸パイプ、丸棒、角パイプ、角棒、細長板材といった任意の細長材を任意の組合せで用いることができる。
【産業上の利用可能性】
【００６９】
本発明の理美容用作業台は、理美容用用具の配置や収容には限られず、工具、文房具、医療器具、食事道具等の配置や収容等に利用することもできる。
【図面の簡単な説明】
【００７０】
【図１】本発明の理美容用作業台の実施形態の一例を示す斜視図。
【図２】図１に示す理美容用作業台の、トレイを取り外した様子を示す斜視図。
【図３】図１に示す理美容用作業台の、棚を倒した様子を示す斜視図。
【図４】図１に示す理美容用作業台の、トレイを支持レールに取付ける様子を示す部分斜視図。
【図５】図１に示す理美容用作業台の、取付けたトレイを引出した様子を示す部分斜視図。
【図６】図１に示す理美容用作業台を複数台前後に重ね合わせた様子を示す斜視図。
【図７】本発明の理美容用作業台の実施形態の他の一例を示す斜視図。
【図８】図７に示す理美容用作業台の、トレイを取り外した様子を示す斜視図。
【図９】図７に示す理美容用作業台の、棚を倒した様子を示す部分斜視図。
【図１０】図７に示す理美容用作業台の、二枚の円板の接合の様子を示す斜視説明図。
【図１１】図１に示す理美容用作業台と図７に示す理美容用作業台とを前後に重ね合わせた様子を示す斜視図。
【図１２】理美容用作業台のフレームの下部の他の例を示す部分斜視図。
【図１３】図１２に示すフレームの理美容用作業台を斜めに重ね合わせた様子を示す平面説明図。
【図１４】理美容用作業台のフレームの下部の他の例を示す部分斜視図。
【図１５】理美容用作業台のフレームの下部の他の例を示す部分斜視図。
【図１６】本発明の理美容用作業台の実施形態の他の一例を示す斜視図。
【図１７】図１６に示す理美容用作業台を複数台上下に重ね合わせた様子を示す斜視図。
【図１８】本発明の理美容用作業台の実施形態の他の一例を示す斜視図。
【図１９】本発明の理美容用作業台の実施形態の他の一例を示す部分斜視図。
【図２０】本発明の理美容用作業台の実施形態の他の一例を示す斜視図。
【図２１】本発明の理美容用作業台の実施形態の他の一例を示す斜視図。
【図２２】本発明の理美容用作業台の実施形態の他の一例を示す斜視図。
【図２３】図２２に示す理美容用作業台を複数台上下に重ね合わせた様子を示す斜視図。
【図２４】（ａ）〜（ｃ）は、図２２に示す理美容用作業台の受け具の上下スライドの様子を示す説明図。
【図２５】本発明の理美容用作業台の実施形態の他の一例を示す斜視図。
【図２６】（ａ）は、スライダーの他の形態を示す斜視説明図。（ｂ）は、（ａ）に示すスライダーの平面図。
【符号の説明】
【００７１】
１  作業台
２  フレーム
３  キャスター
４  棚
５  天板
６  支持レール
７  トレイ
８  受け具
９  支持材
１０  差込み空間
１１  縦杆
１２  前脚
１４  連結杆
１５  後脚
４０  脚
４５  脚
５０ａ  脚下部重ね空間
５０ｂ  上方重ね空間
５０ｃ  脚上部重ね空間
６０  受け具
６１  上段スライダー
６２  下段スライダー
６４  上段係止具
６５  下段係止具
【図１】
2006255399.tif 000003
【図２】
2006255399.tif 000004
【図３】
2006255399.tif 000005
【図４】
2006255399.tif 000006
【図５】
2006255399.tif 000007
【図６】
2006255399.tif 000008
【図７】
2006255399.tif 000009
【図８】
2006255399.tif 000010
【図９】
2006255399.tif 000011
【図１０】
2006255399.tif 000012
【図１１】
2006255399.tif 000013
【図１２】
2006255399.tif 000014
【図１３】
2006255399.tif 000015
【図１４】
2006255399.tif 000016
【図１５】
2006255399.tif 000017
【図１６】
2006255399.tif 000018
【図１７】
2006255399.tif 000019
【図１８】
2006255399.tif 000020
【図１９】
2006255399.tif 000021
【図２０】
2006255399.tif 000022
【図２１】
2006255399.tif 000023
【図２２】
2006255399.tif 000024
【図２３】
2006255399.tif 000025
【図２４】
2006255399.tif 000026
【図２５】
2006255399.tif 000027
【図２６】
2006255399.tif 000028